(57)【要約】【課題】リニアスライドレールの拡張式クリップトラックを提供する。【解決手段】  リニアスライドレールの拡張式クリップトラックは、外側面に第１保持面を有する第１保持辺壁と、外側面に第２保持面を有する第２保持辺壁と、第１及び第２保持辺壁の内側面の間に接続される弾性部材と、第１及び第２保持辺壁の内側面の一端の間に設置され、第１受力ブロック、第２受力ブロック、押圧ブロック及び支持部材を有し、第１受力ブロックが第１保持辺壁の内側面に連結され、その端面上に第１斜面を形成し、第２受力ブロックが第２保持辺壁の内側面に連結され、その端面上に第２斜面を形成し、押圧ブロックが受力部と施力部を有し、施力部両側に施力斜面を形成し、支持部材が押圧ブロックの受力部と連結し、支持部材により押圧ブロックを第１保持辺壁と第２保持辺壁の間に保持し、押圧ブロックが予備位置から拡張位置の間で往復移動できる拡張ユニットからなる。【選択図】図１
2019066017.tif 000002
【特許請求の範囲】
【請求項１】
外側面に第１保持面を有する第１保持辺壁と、
外側面に第２保持面を有する第２保持辺壁と、
弾性を有し、該第１保持辺壁及び該第２保持辺壁の内側面の間に接続される少なくとも１つの弾性部材と、
該第１保持辺壁と該第２保持辺壁の内側面の一端の間に設置され、第１受力ブロック、第２受力ブロック、押圧ブロック及び支持部材を有し、該第１受力ブロックは、該第１保持辺壁の内側面に連結され、その端面上に第１斜面を形成し、該第２受力ブロックは、該第２保持辺壁の内側面に連結され、その端面上に第２斜面を形成し、該押圧ブロックは、受力部及び該受力部と連結する施力部を有し、該施力部の両側にそれぞれ施力斜面を形成し、該支持部材は、該押圧ブロックの受力部と連結し、該支持部材により該押圧ブロックを該第１保持辺壁及び該第２保持辺壁の間に保持し、該押圧ブロックは、予備位置から拡張位置までの間で往復移動を行うことができる少なくとも１つの拡張ユニットと、
を含むリニアスライドレールの拡張式クリップトラック。
【請求項２】
前記支持部材は、該第１保持辺壁及び該第２保持辺壁の内側面の間に連結する横ロッド及び該横ロッド及び該押圧ブロックの受力部の間に連結する縦ロッドを有する請求項１に記載のリニアスライドレールの拡張式クリップトラック。
【請求項３】
前記支持部材は、第１連結片及び第２連結片を有し、該第１連結片は、該第１受力ブロック及び該押圧ブロックの受力部の間に接続され、該第２連結片は、該第２受力ブロック及び該押圧ブロックの受力部の間に接続される請求項１に記載のリニアスライドレールの拡張式クリップトラック。
【請求項４】
前記拡張ユニットは、第１位置決め部及び第２位置決め部を更に有し、第１位置決め部は、該第１保持辺壁の端縁外に接続され、該第２位置決め部は、該第２保持辺壁の端縁外に接続される請求項１に記載のリニアスライドレールの拡張式クリップトラック。
【請求項５】
前記拡張ユニットは、更に、第１欠き溝及び第２欠き溝を有し、該第１欠き溝は、該第１保持辺壁の端縁から軸方向に所定距離だけ延伸してなり、該第２欠き溝は、該第２保持辺壁の端縁から軸方向に所定距離だけ延伸してなる請求項１に記載のリニアスライドレールの拡張式クリップトラック。
【発明の詳細な説明】
【技術分野】
【０００１】
本発明は、リニアスライドレールに関し、更に言えば、リニアスライドレールの拡張式クリップトラックに関する。
【背景技術】
【０００２】
リニアスライドレールは、スライドレール、該スライドレール上に滑動接続する滑動ブロック及び該スライドレールの及び該滑動ブロックの間に設置されるローラ体から構成され、該ローラ体により該滑動ブロックが該スライドレールに沿ってリニア往復運動を行う伝動部材とする。
【０００３】
しかしながら、該リニアスライドレールの組み立て工程は、先ず、該ローラ体を該滑動ブロック上に設置し、それから、該滑動ブロックを該スライドレール上に滑動接続するというものである。但し、該ローラ体は、該滑動ブロック上に取り付けた後、スライドレールと即座に組み立てられず、且つ該ローラ体は、主に複数のボール又は滑動柱から構成され、従って、ロータ体が該滑動ブロック上から脱落するか、所定位置からずれる状況の発生を回避するため、先ず、ローラ体を取り付けた滑動ブロック上を暫定的なクリップトラックに取り付け、出荷又は機台上に取り付けたい時に、この暫定的クリップトラックを取り除き、同時に該滑動ブロックを該スライドレール上に移動して滑動接続する。
【０００４】
この安定的なクリップトラックは、一般に固定型又は若干弾性を有するプラスチック材質で形成され、ローラ体の精確な位置を保持することできるだけでなく、更に、取り除く過程において、滑動ブロックを傷付けることを回避できる。
但し、クリップトラックは、ロータ体の精確な位置を保持することに用いられるので、それ自体の寸法はスライドレールの寸法と略同じ、又は全く同じでなければならず、滑動ブロック内のオイルスクレーピング片がクリップトラックと接触を形成するか、接触に近い状態をとらせ、該スライドレールがクリップトラックに代えて該滑動ブロック内に滑り込む過程において、該スライドレールは、オイルスクレーピング片と極めて容易に衝突を発生し、該スライドレールは、金属からなるので、オイルスクレーピング片及びスライドレールを損傷させ易く、滑動が円滑でなくなり、更には、滑動できなくなる問題を生じる。
【先行技術文献】
【特許文献】
【０００５】
【特許文献１】特開２００７−１６８７２号公報
【特許文献２】特開２０１３−１８１６５８号公報
【発明の概要】
【発明が解決しようとする課題】
【０００６】
これに鑑み、本発明の課題は、従来技術において、公知のリニアスライドレールの滑動ブロックがクリップトラックを除くと同時にスライドレールに取り付ける過程において、衝突して損傷を発生し易い状況を改善することである。
【課題を解決するための手段】
【０００７】
そこで、本発明が提供するリニアスライドレールの拡張式クリップトラックは、主に外側面に第１保持面を有する第１保持辺壁と、外側面に第２保持面を有する第２保持辺壁と、弾性を有し、該第１保持辺壁及び該第２保持辺壁の内側面の間に接続される少なくとも１つの弾性部材と、該第１保持辺壁と該第２保持辺壁の内側面の一端の間に設置され、第１受力ブロック、第２受力ブロック、押圧ブロック及び支持部材を有し、該第１受力ブロックは、該第１保持辺壁の内側面に連結され、その端面上に第１斜面を形成し、該第２受力ブロックは、該第２保持辺壁の内側面に連結され、その端面上に第２斜面を形成し、該押圧ブロックは、受力部及び該受力部と連結する施力部を有し、該施力部の両側にそれぞれ施力斜面を形成し、該支持部材は、該押圧ブロックの受力部と連結し、該支持部材により該押圧ブロックを該第１保持辺壁及び該第２保持辺壁の間に保持し、該押圧ブロックは、予備位置から拡張位置までの間で往復移動を行うことができる少なくとも１つの拡張ユニットと、を含む。
【発明の効果】
【０００８】
本発明のリニアスライドレールの拡張式クリップトラックは、該押圧ブロックが該拡張位置に位置する時、同時に該第１保持辺壁及び該第２保持辺壁の外側拡張を連動し、滑動ブロック内のオイルスクレーピング片の同期外側拡張を推進し、滑動ブロックと滑動接続するスライドレールにオイルスクレーピング片と衝突を発生させないようにし、滑動接続時の円滑性を増進し、部品の損傷を回避することができる。
【図面の簡単な説明】
【０００９】
【図１】本発明の好適な第１実施例の立体組み合わせ図である。
【図２】図１が示す実施例の使用状態立体図である。
【図３】図１が示す実施例の動作説明図である。
【図４】図１が示す実施例の動作説明図である。
【図５】図１が示す実施例の動作説明図である。
【図６】図１が示す実施例の動作説明図である。
【図７】は、本発明の好適な第２実施例の立体組み合わせ図である。
【発明を実施するための形態】
【００１０】
本発明の特長及び利点を更に分かり易くするため、以下に実施例を挙げ、図面に合わせて説明する。
【００１１】
図１〜図６を参照し、本発明の第１実施例が提供するリニアスライドレールの拡張式クリップトラック１００は、主に第１保持辺壁１０、第２保持辺壁２０、２つの弾性部材３０、制限部材４０及び２つの拡張ユニット５０を含む。
【００１２】
図１〜図６を参照し、該第１保持辺壁１０は、ストリップ状の片体であり、該第１保持辺壁１０の外側面に第１保持面１１を有し、該第１保持面１１は、内縮する傾斜錐面を呈する。
【００１３】
図１〜図６を参照し、該第２保持辺壁２０は、ストリップ状の片体を呈し、該第１保持辺壁１０と平行に所定の間隔を隔て、該第２保持辺壁２０の外側面に第２保持面２１を有し、該第２保持面２１は、内縮する傾斜錘面を呈する。
【００１４】
図１〜図６を参照し、該第２弾性部材３０は、該第１保持辺壁１０及び該第２保持辺壁２０の内側面の間に所定間隔を隔てて接続され、該弾性部材３０は、連続の逆向きの円弧から構成され、適当な弾性を有し、該第１保持辺壁１０及び該第２保持辺壁２０に接近及び離脱の弾性裕度を持たせる。
【００１５】
図１〜図６を参照し、該制限部材４０は、第１ブロック体４１及び第２ブロック体４２を有し、該第１ブロック体４１は、該第１保持辺壁１０の内側面上に連結され、該第１ブロック体４１と対応する位置に配置され、且つ該第１ブロック体４１及び該第２ブロック体４２の間隔は、適当な隙間を有する。
【００１６】
図１〜図６を参照し、該２つの拡張ユニッ５０は、それぞれ該第１保持辺壁１０及び該第２保持辺壁２０の一端の間に設置され、該第１保持辺壁１０及び該第２保持辺壁２０の他端の間に設置され、該２つの拡張ユニット５０の構造が同じであるので、再度記載せず、以下に単一の拡張ユニット５０を紹介する。
該拡張ユニット５０は、第１受力ブロック５１、第２受力ブロック５２、押圧ブロック５３及び支持部材５４を有する。該第１受力ブロック５１は、該第１保持辺壁１０の内側面に連結され、その端面上に徐々に縮小する第１斜面５１１を形成し、該第２受力ブロック５２３は、該第２保持辺壁２０の内側面上に連結され、その端面上に徐々に縮小する第２斜面５２１を形成し、該押圧ブロック５３は、受力部５３１及び該受力部５３１と一体に連結する施力部５３２を有し、該施力部５３２の両側は、施力斜面５３３をそれぞれ形成し、該支持部材５４は、該第１保持辺壁１０及び該第２保持辺壁２０内側面の間に連結される横ロッド５４１と、該横ロッド５４１及び該押圧ブロック５３の受力部５３１の間に連結される縦ロッド５４２を有し、該支持部材５４は、該押圧ブロック５３の施力部５３２を該第１斜面５１１及び該第２斜面５２１の間に位置させ、該押圧ブロック５３は、予備位置から拡張位置の間で往復移動を行うことができる。
【００１７】
上記は、本発明の好適な第１実施例が提供するリニアスライドレールの拡張式クリップトラック１００の各部材及びその組み立て方式の紹介であり、続いて、その
使用の特徴を以下に紹介する。
【００１８】
先ず、図２を参照して説明するが、本発明のリニアスライドレールの拡張式クリップトラック１００は、暫定的に滑動ブロック９１と滑動接続し、滑動ブロック９１内のローラ体の精確な位置を保持する。
【００１９】
本発明のリニアスライドレールの拡張式クリップトラック１００が該滑動ブロック９１から除去し、該滑動ブロック９１を金属製のスライドレール９２と滑動接続を行う時、図３に示すように、該スライドレール９２の一端を本発明のリニアスライドレールの拡張式クリップトラック１００の一端へ当接を行うことができ、この時、該拡張ユニット５０の押圧ブロック５３は、予備位置に位置し、予備位置に位置する押圧ブロック５３の受力部５３１は、該第１保持辺壁１０及び該第２保持辺壁２０の端縁外に伸出し、従って、該スライドレール９２は、先ず該押圧ブロック５３の受力部５３１と当接し、該スライドレール９２により該押圧ブロック５３を内へ推移させ、該押圧ブロック５３を予備位置から拡張位置に推移し、拡張位置に位置する押圧ブロック５３の施力斜面５３３は、該第１受力ブロック５１の第１斜面５１１及び該第２受力ブロック５２の第２斜面５２１に接触し、移動の持続において、該第１受力ブロック５１及び該第２受力ブロック５２を外へ推移し、同時に該第１保持辺壁１０及び該第２保持辺壁２０の外側拡張を連動し（図４参照）、この時、外側拡張状態を呈する第１保持辺壁１０及び該第２保持辺壁２０は、該滑動ブロック９１内のオイルスクレーピング片９１１を押し動かし、該オイルスクレーピング片９１１は、同時に押し動かされて若干外側拡張し、注意すべきこととして、該第１保持辺壁１０の第１保持面１１、第２保持辺壁２０の第２保持面２１、該オイルスクレーピング片９１１の接触面の外形は相似し、外側拡張状態を呈する第１保持辺壁１０及び該第２保持辺壁２０に該オイルスクレーピング片９１１を有効に推進させる。
【００２０】
このように、押し込みを持続するスライドレール９２は、外側拡張されるオイルスクレーピング片９１１（図５参照）によって、スライドレール９２を全体的に押し込ませ、リニアスライドレールの拡張式クリップトラック１００を移動させる過程において（図６参照）、該スライドレール９２は、オイルスクレーピング片９１１と衝突を発生することがなく、滑動接続時の円滑性を増進し、部品の損傷を回避することができる。
【００２１】
また、上記実施例において、該拡張ユニット５０は、更に、第１位置決め部５５及び第２位置決め部５６を有し、図１〜図４に示すように、該第１位置決め部５５は、該第１保持辺壁１０の端縁外に連結され、該第２位置決め部５６は、該第２保持辺壁２０の端縁外に連結され、該スライドレール９２を第１位置決め部５５及び該第２位置決め部５６の間に位置決めさせることができ、該スライドレール９２に正確な位置で滑動ブロック９１と滑動接続させ、人為操作の不確定性を減少させる。
【００２２】
また、上記実施例において、該拡張ユニット５０は、第１欠き溝５７及び第２欠き溝５８を更に有し、図１に示すように、該第１欠き溝５７は、該第１保持辺壁１０の端縁から軸方向に所定距離だけ延伸してなり、該第２欠き溝５８は、該第２保持辺壁２０の端縁から軸方向に所定距離だけ延伸してなり、該第１保持辺壁１０及び該第２保持辺壁２０の外側拡張時の円滑性を向上させる。
【００２３】
図７を参照し、それは、本発明の第２実施例が提供するリニアスライドレールの拡張式クリップトラック２００であり、前記実施例と同じく第１保持辺壁１０、第２保持辺壁２０、２つの弾性部材３０、制限部材４０及び２つの拡張ユニット６０を含むが、本実施例と前記実施例の主な差異は、以下にある。
【００２４】
本実施例において、該拡張ユニット６０の支持部材６４は、第１連結片６４１及び第２連結片６４２を有し、該第１連結片６４１は、該第１受力ブロック６１及び該押圧ブロック６３の受力部６３１の間に接続され、該第２連結片６４２は、該第２受力ブロック６２及び該押圧ブロック６３の受力部６３１の間に接続され、それは、同様に前記実施例と同じ効果を達成することができる。
【００２５】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００２６】
「第１実施例」
１００  リニアスライドレールの拡張式クリップトラック
１０  第１保持辺壁
１１  第１保持面
２０  第２保持辺壁
２１  第２保持面
３０  弾性部材
４０  制限部材
４１  第１ブロック体
４２  第２ブロック体
５０  拡張ユニット
５１  第１受力ブロック
５１１  第１斜面
５２  第２受力ブロック
５２１  第２斜面
５３  押圧ブロック
５３１  受力部
５３２  施力部
５３３  施力斜面
５４  支持部材
５４１  横ロッド
５４２  縦ロッド
５５  第１位置決め部
５６  第２位置決め部
５７  第１欠き溝
５８  第２欠き溝
９１  滑動ブロック
９１１  オイルスクレーピング片
９２  スライドレール
「第２実施例」
２００  リニアスライドレールの拡張式クリップトラック
１０  第１保持辺壁
２０  第２保持辺壁
３０  弾性部材
４０  制限部材
６０  拡張ユニット
６１  第１受力ブロック
６２  第２受力ブロック
６３  押圧ブロック
６３１  受力部
６４  支持部材
６４１  第１連結片
６４２  第２連結片
【図１】
2019066017.tif 000003
【図２】
2019066017.tif 000004
【図３】
2019066017.tif 000005
【図４】
2019066017.tif 000006
【図５】
2019066017.tif 000007
【図６】
2019066017.tif 000008
【図７】
2019066017.tif 000009
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
外側面に第１保持面を有する第１保持辺壁と、
外側面に第２保持面を有する第２保持辺壁と、
弾性を有し、該第１保持辺壁及び該第２保持辺壁の内側面の間に接続される少なくとも１つの弾性部材と、
該第１保持辺壁と該第２保持辺壁の内側面の一端の間に設置され、第１受力ブロック、第２受力ブロック、押圧ブロック及び支持部材を有し、該第１受力ブロックは、該第１保持辺壁の内側面に連結され、その端面上に第１斜面を形成し、該第２受力ブロックは、該第２保持辺壁の内側面に連結され、その端面上に第２斜面を形成し、該第１斜面と該第２斜面の間で徐々に縮小する空間を形成し、該押圧ブロックは、受力部及び該受力部と連結する施力部を有し、該施力部の両側には対向して徐々に縮小する施力斜面を形成し、該施力部両側の施力斜面が徐々に縮小する方向は、上記空間と同じであり、該支持部材は、該押圧ブロックの受力部と連結し、該支持部材により該押圧ブロックを該第１保持辺壁及び該第２保持辺壁の間を外側拡張状態に保持し、該押圧ブロックは、予備位置から拡張位置までの間で往復移動を行うことができる少なくとも１つの拡張ユニットと、
を含むリニアスライドレールの拡張式クリップトラック。
【請求項２】
前記支持部材は、該第１保持辺壁及び該第２保持辺壁の内側面の間に連結する横ロッド並びに該横ロッド及び該押圧ブロックの受力部の間に連結する縦ロッドを有する請求項１に記載のリニアスライドレールの拡張式クリップトラック。
【請求項３】
前記支持部材は、第１連結片及び第２連結片を有し、該第１連結片は、該第１受力ブロック及び該押圧ブロックの受力部の間に接続され、該第２連結片は、該第２受力ブロック及び該押圧ブロックの受力部の間に接続される請求項１に記載のリニアスライドレールの拡張式クリップトラック。
【請求項４】
前記拡張ユニットは、第１位置決め部及び第２位置決め部を更に有し、第１位置決め部は、該第１保持辺壁の端縁外に接続され、該第２位置決め部は、該第２保持辺壁の端縁外に接続される請求項１に記載のリニアスライドレールの拡張式クリップトラック。
【請求項５】
前記拡張ユニットは、更に、第１欠き溝及び第２欠き溝を有し、該第１欠き溝は、該第１保持辺壁の端縁から軸方向に所定距離だけ延伸してなり、該第２欠き溝は、該第２保持辺壁の端縁から軸方向に所定距離だけ延伸してなる請求項１に記載のリニアスライドレールの拡張式クリップトラック。
【手続補正２】
【補正対象書類名】明細書
【補正対象項目名】０００３
【補正方法】変更
【補正の内容】
【０００３】
しかしながら、該リニアスライドレールの組み立て工程は、先ず、該ローラ体を該滑動ブロック上に設置し、それから、該滑動ブロックを該スライドレール上に滑動接続するというものである。但し、該ローラ体は、該滑動ブロック上に取り付けた後、スライドレールと即座に組み立てられず、且つ該ローラ体は、主に複数のボール又は滑動柱から構成され、従って、ローラ体が該滑動ブロック上から脱落するか、所定位置からずれる状況の発生を回避するため、先ず、ローラ体を取り付けた滑動ブロック上を暫定的なクリップトラックに取り付け、出荷又は機台上に取り付けたい時に、この暫定的クリップトラックを取り除き、同時に該滑動ブロックを該スライドレール上に移動して滑動接続する。
【手続補正３】
【補正対象書類名】明細書
【補正対象項目名】０００４
【補正方法】変更
【補正の内容】
【０００４】
この安定的なクリップトラックは、一般に固定型又は若干弾性を有するプラスチック材質で形成され、ローラ体の精確な位置を保持することできるだけでなく、更に、取り除く過程において、滑動ブロックを傷付けることを回避できる。
但し、クリップトラックは、ローラ体の精確な位置を保持することに用いられるので、それ自体の寸法はスライドレールの寸法と略同じ、又は全く同じでなければならず、滑動ブロック内のオイルスクレーピング片がクリップトラックと接触を形成するか、接触に近い状態をとらせ、該スライドレールがクリップトラックに代えて該滑動ブロック内に滑り込む過程において、該スライドレールは、オイルスクレーピング片と極めて容易に衝突を発生し、該スライドレールは、金属からなるので、オイルスクレーピング片及びスライドレールを損傷させ易く、滑動が円滑でなくなり、更には、滑動できなくなる問題を生じる。
【手続補正４】
【補正対象書類名】明細書
【補正対象項目名】００１６
【補正方法】変更
【補正の内容】
【００１６】
図１〜図６を参照し、該２つの拡張ユニッ５０は、それぞれ該第１保持辺壁１０及び該第２保持辺壁２０の一端の間に設置され、該第１保持辺壁１０及び該第２保持辺壁２０の他端の間に設置され、該２つの拡張ユニット５０の構造が同じであるので、再度記載せず、以下に単一の拡張ユニット５０を紹介する。
該拡張ユニット５０は、第１受力ブロック５１、第２受力ブロック５２、押圧ブロック５３及び支持部材５４を有する。該第１受力ブロック５１は、該第１保持辺壁１０の内側面に連結され、その端面上に徐々に縮小する第１斜面５１１を形成し、該第２受力ブロック５２３は、該第２保持辺壁２０の内側面上に連結され、その端面上に徐々に縮小する第２斜面５２１を形成し、第１斜面５１１と第２斜面５２１とは図４に示すように対向して設けられ、該押圧ブロック５３は、受力部５３１及び該受力部５３１と一体に連結する施力部５３２を有し、該施力部５３２の両側は、施力斜面５３３をそれぞれ形成し、該支持部材５４は、該第１保持辺壁１０及び該第２保持辺壁２０内側面の間に連結される横ロッド５４１と、該横ロッド５４１及び該押圧ブロック５３の受力部５３１の間に連結される縦ロッド５４２を有し、該支持部材５４は、該押圧ブロック５３の施力部５３２を該第１斜面５１１及び該第２斜面５２１の間に位置させ、該押圧ブロック５３は、予備位置から拡張位置の間で往復移動を行うことができる。